(57)【要約】【課題】山域に設置された装置及び広域ネットワークに接続された装置間での情報のやり取りを効率的に実施する為の登山情報中継システムを提供することを課題とする。【解決手段】登山経路上の所定位置に、登山経路に沿って並べて配置された複数の近距離無線通信装置を備え、前記近距離無線通信装置と近距離無線通信可能な領域を経由して前記登山経路を進行する複数のユーザそれぞれが携行するユーザ端末及び、前記近距離無線通信装置を介して情報伝達を行う為の登山情報伝達システムであって、前記近距離無線通信装置は、前記ユーザ端末から中継情報を受信する中継情報受信手段と、前記情報受信手段で受信した中継情報を記憶部に記憶する中継情報記憶手段と、前記記憶部に記憶された中継情報の少なくとも一部を前記ユーザ端末に出力する中継情報出力手段と、を備えることを特徴とする。【選択図】図１
2018022454.tif 000002
【特許請求の範囲】
【請求項１】
登山経路上の所定位置に、登山経路に沿って並べて配置された複数の近距離無線通信装置を備え、
前記近距離無線通信装置と近距離無線通信可能な領域を経由して前記登山経路を進行する複数のユーザそれぞれが携行するユーザ端末及び、前記近距離無線通信装置を介して情報伝達を行う為の登山情報伝達システムであって、
前記近距離無線通信装置は、前記ユーザ端末から中継情報を受信する中継情報受信手段と、
前記中継情報受信手段で受信した中継情報を記憶部に記憶する中継情報記憶手段と、
前記記憶部に記憶された中継情報の少なくとも一部を前記ユーザ端末に出力する中継情報出力手段と、を備えることを特徴とする登山情報伝達システム。
【請求項２】
広域通信ネットワークを介してアクセス可能な登山サーバを備え、
前記登山サーバは、広域通信可能領域において前記ユーザ端末から出力された、前記中継情報の少なくとも一部を受け付ける中継情報受付手段を備えることを特徴とする請求項１に記載の登山情報伝達システム。
【請求項３】
広域通信ネットワークを介してアクセス可能な登山サーバと、広域通信装置と、を備え、
前記登山サーバは、前記ユーザ端末に記憶された前記中継情報を、前記広域通信装置を介して受け付けることを特徴とする請求項１又は請求項２に記載の登山情報伝達システム。
【請求項４】
前記登山サーバは、近距離無線通信装置からユーザ端末への発信情報の更新情報を、広域通信可能領域において前記ユーザ端末より受け取った経路情報に基づいて、前記ユーザ端末に出力し、
前記中継情報は、前記更新情報を含むことを特徴とする請求項２又は請求項３に記載の登山情報伝達システム。
【請求項５】
前記近距離無線通信装置は、前記ユーザ端末より受け取った中継情報に基づいて、ユーザ端末に出力する中継情報を決定することを特徴とする請求項１〜４の何れかに記載の登山情報伝達システム。
【請求項６】
近距離無線通信装置は、前記中継情報として、過去に当該近距離無線通信装置を通過した複数のユーザ端末についての通過情報を、ユーザ端末に出力することを特徴とする請求項１〜５の何れかに記載の登山情報伝達システム。
【請求項７】
前記近距離無線通信装置は、天候情報を検出する為の天候センサを備え、
前記中継情報は、前記天候情報を含むことを特徴とする請求項１〜６の何れかに記載の登山情報伝達システム。
【請求項８】
前記近距離無線通信装置は、自己情報を生成する自己情報取得手段を備え、
前記中継情報は、前記自己情報を含むことを特徴とする請求項１〜７の何れかに記載の登山情報伝達システム。
【請求項９】
登山経路上の所定位置に、登山経路に沿って並べて配置され、
複数のユーザそれぞれが携行するユーザ端末と近距離無線通信を介して情報伝達を行う近距離無線通信装置であって、
前記ユーザ端末から中継情報を受信する中継情報受信手段と、
前記中継情報受信手段で受信した中継情報を記憶部に記憶する中継情報記憶手段と、
前記記憶部に記憶された中継情報の少なくとも一部を前記ユーザ端末に出力する中継情報出力手段と、を備えることを特徴とする近距離無線通信装置。
【請求項１０】
登山経路上の所定位置に、登山経路に沿って並べて配置された複数の近距離無線通信装置と、近距離無線通信を介して情報伝達を行う為の携帯情報端末であって、
中継情報の少なくとも一部を前記近距離無線通信装置に出力する中継情報出力手段と、
前記近距離無線通信装置から中継情報を受信する中継情報受信手段と、
前記中継情報受信手段で受信した中継情報を記憶部に記憶する中継情報記憶手段と、を備えることを特徴とする携帯情報端末。
【請求項１１】
登山経路上の所定位置に、登山経路に沿って並べて配置され、
複数のユーザそれぞれが携行するユーザ端末と近距離無線通信を介して情報伝達を行う為の近距離無線通信プログラムであって、
コンピュータを、前記ユーザ端末から中継情報を受信する中継情報受信手段と、
前記中継情報受信手段で受信した中継情報を記憶部に記憶する中継情報記憶手段と、
前記記憶部に記憶された中継情報の少なくとも一部を前記ユーザ端末に出力する中継情報出力手段と、として機能させることを特徴とする近距離無線通信プログラム。
【請求項１２】
登山経路上の所定位置に、登山経路に沿って並べて配置された複数の近距離無線通信装置と、近距離無線通信を介して情報伝達を行う為の中継プログラムであって、
コンピュータを、中継情報の少なくとも一部を前記近距離無線通信装置に出力する中継情報出力手段と、
前記近距離無線通信装置から中継情報を受信する中継情報受信手段と、
前記中継情報受信手段で受信した中継情報を記憶部に記憶する中継情報記憶手段と、として機能させることを特徴とする中継プログラム。
【発明の詳細な説明】
【技術分野】
【０００１】
本発明は、情報の伝達を行う為の登山情報中継システムに関するものである。
【背景技術】
【０００２】
従来から、登山道に沿って配置された装置において登山者の通過状況を記録し、登山者の下山状況の把握や、遭難位置の特定等に活用する技術が知られている。
【０００３】
例えば、登山者に非接触式ＩＣタグを貸与し、登山者がチェックポイントに到達した際、チェックポイントに設けられた情報読取書込機で、ＩＣタグに書き込まれたユーザ情報及び読取時刻を記録する登山情報管理システムが知られている（特許文献１）。
【０００４】
また、通過者情報読取手段と、通過者情報記録手段と、外部の携帯用通過情報記憶手段に対して出力する地点情報書込手段とを有する通過情報記録装置を用いて、ユーザの通過情報を記録する通過情報記録システムが知られている（特許文献２）。
【先行技術文献】
【特許文献】
【０００５】
【特許文献１】特開２００２−１３３０３９号公報
【特許文献２】特開平１０−５５４６５号公報
【発明の概要】
【発明が解決しようとする課題】
【０００６】
しかしながら、前述した従来の技術には、つぎのような改善すべき問題点が残されており、効率的に登山者の通過情報を活用することができない。山域では、広域ネットワークに接続する為のインフラ設備（基地局等）の配置が遅れていることや、樹木や谷間で無線通信の為の電波が届かないことから、衛星を介して通信を行うなど特別な手段を用いなければ、広域ネットワークに接続された外部のデータベースやサーバ装置等と通信を行うことが困難である。山域に配置された各装置それぞれに衛星との通信手段を設けることは、運用面やコスト面から現実的ではない。
【０００７】
そのため、山域に配置された装置から、登山者の通過情報やメンテナンス要求を自動的に収集・分析するようなシステムを構築することが困難であり、各山域でユーザの通過情報を管理するシステムの普及を阻害する要因となっている。
【０００８】
そうした理由から、従来技術では、チェックポイントに記録された通過情報を、人が読み出しに行かなければ、遭難者の遭難位置を特定することができない。特許文献１では、ヘリコプター側の装置及びチェックポイントに設置された装置で無線通信を行って、通過情報を収取する方法が示されている。しかしながら、各チェックポイント付近まで飛行して通過情報を受信する処理は必要となるため、ヘリコプターの手配の手間や作業コストなどが生じ、システムの普及が阻害されている。
【０００９】
また、山域に設置された装置まで人が赴き、定期的にメンテナンスを行うことが必要不可欠となってしまう。バッテリへの給電に関しては、特許文献２に示されるように、太陽光パネルを配置することで解決できる。一方で、装置やバッテリの劣化、センサ・近距離無線通信用のアンテナの故障などを管理する必要があるが、広域ネットワークとの通信が困難なことから、高い頻度で、定期的に各装置を人が点検管理する必要が生じ、システムの普及が阻害されている。
【００１０】
加えて、登山道に配置された装置が広域ネットワークと恒常的に通信することが困難なため、装置に記憶されたファームウェアや、装置から発信する情報の更新を行うことが容易ではない。遭難を未然に防ぐためには、経路の情報（次の装置までの道順や、通行止めの情報など）をアナウンスしたり、周辺の災害情報や避難命令などの情報を登山者に通知することが重要である。しかし、山域における通信環境の問題から、外部の管理端末から山域に設置された各装置に接続し、情報の更新を一括で行うことが困難である。
【００１１】
本発明は、このような従来の問題点に鑑みてなされたものであり、山域に設置された装置及び広域ネットワークに接続された装置間での情報のやり取りを効率的に実施する為の登山情報中継システムを提供することを解決すべき課題とする。
【課題を解決するための手段】
【００１２】
上記課題を解決するために、本発明は、登山経路上の所定位置に、登山経路に沿って並べて配置された複数の近距離無線通信装置を備え、前記近距離無線通信装置と近距離無線通信可能な領域を経由して前記登山経路を進行する複数のユーザそれぞれが携行するユーザ端末及び、前記近距離無線通信装置を介して情報伝達を行う為の登山情報伝達システムであって、前記近距離無線通信装置は、前記ユーザ端末から中継情報を受信する中継情報受信手段と、前記中継情報受信手段で受信した中継情報を記憶部に記憶する中継情報記憶手段と、前記記憶部に記憶された中継情報の少なくとも一部を前記ユーザ端末に出力する中継情報出力手段と、を備えることを特徴とする。
【００１３】
本発明の好ましい形態では、広域通信ネットワークを介してアクセス可能な登山サーバを備え、前記登山サーバは、広域通信可能領域において前記ユーザ端末から出力された、前記中継情報の少なくとも一部を受け付ける中継情報受付手段を備えることを特徴とする。
【００１４】
このような構成とすることで、近距離無線通信装置で記憶された情報や、近距離無線通信装置に対する情報をユーザに搬送させることが可能となる。これにより、電波の通じない山域などにおいても、装置で得られた情報の収集、装置に記憶された情報の更新、を実施することができ、効果的に登山に関する情報収取、情報発信を行うことができる。
【００１５】
本発明の好ましい形態では、広域通信ネットワークを介してアクセス可能な登山サーバと、広域通信装置と、を備え、前記登山サーバは、前記ユーザ端末に記憶された前記中継情報を、前記広域通信装置を介して受け付けることを特徴とする。
【００１６】
本発明の好ましい形態では、前記登山サーバは、近距離無線通信装置からユーザ端末への発信情報の更新情報を、広域通信可能領域において前記ユーザ端末より受け取った経路情報に基づいて、前記ユーザ端末に出力し、前記中継情報は、前記更新情報を含むことを特徴とする。
このような構成とすることで、近距離無線通信装置からユーザ端末へ発信される情報を、最新の状態に更新することができる。
【００１７】
本発明の好ましい形態では、前記近距離無線通信装置は、前記ユーザ端末より受け取った中継情報に基づいて、ユーザ端末に出力する中継情報を決定することを特徴とする。
このような構成とすることで、ユーザごとに適した発信情報を出力することができる。
【００１８】
本発明の好ましい形態では、近距離無線通信装置は、前記中継情報として、過去に当該近距離無線通信装置を通過した複数のユーザ端末についての通過情報を、ユーザ端末に出力することを特徴とする。
このような構成とすることで、ユーザの通過の履歴を集めることが可能となる。ユーザ端末により通過情報を集約することで、遭難位置の特定などを迅速に行うことができる。
【００１９】
本発明の好ましい形態では、前記近距離無線通信装置は、天候情報を検出する為の天候センサを備え、前記中継情報は、前記天候情報を含むことを特徴とする。
このような構成とすることで、近距離無線通信装置で計測された天候に関する情報を集めることが可能となる。
【００２０】
本発明の好ましい形態では、前記近距離無線通信装置は、自己情報を生成する自己情報取得手段を備え、前記中継情報は、前記自己情報を含むことを特徴とする。
このような構成とすることで、近距離無線通信装置で計測された故障などに関する情報を集めることが可能となる。
【００２１】
本発明は、登山経路上の所定位置に、登山経路に沿って並べて配置され、複数のユーザそれぞれが携行するユーザ端末と近距離無線通信を介して情報伝達を行う近距離無線通信装置であって、前記ユーザ端末から中継情報を受信する中継情報受信手段と、前記情報受信手段で受信した中継情報を記憶部に記憶する中継情報記憶手段と、前記記憶部に記憶された中継情報の少なくとも一部を前記ユーザ端末に出力する中継情報出力手段と、を備えることを特徴とする。
【００２２】
本発明は、登山経路上の所定位置に、登山経路に沿って並べて配置された複数の近距離無線通信装置と、近距離無線通信を介して情報伝達を行う為の携帯情報端末であって、中継情報の少なくとも一部を前記近距離無線通信装置に出力する中継情報出力手段と、前記近距離無線通信装置から中継情報を受信する中継情報受信手段と、前記中継情報受信手段で受信した中継情報を記憶部に記憶する中継情報記憶手段と、を備えることを特徴とする。
【００２３】
本発明は、登山経路上の所定位置に、登山経路に沿って並べて配置され、複数のユーザそれぞれが携行するユーザ端末と近距離無線通信を介して情報伝達を行う為の近距離無線通信プログラムであって、コンピュータを、前記ユーザ端末から中継情報を受信する中継情報受信手段と、前記情報受信手段で受信した中継情報を記憶部に記憶する中継情報記憶手段と、前記記憶部に記憶された中継情報の少なくとも一部を前記ユーザ端末に出力する中継情報出力手段と、として機能させることを特徴とする。
【００２４】
本発明は、登山経路上の所定位置に、登山経路に沿って並べて配置された複数の近距離無線通信装置と、近距離無線通信を介して情報伝達を行う為の中継プログラムであって、コンピュータを、中継情報の少なくとも一部を前記近距離無線通信装置に出力する中継情報出力手段と、前記近距離無線通信装置から中継情報を受信する中継情報受信手段と、前記中継情報受信手段で受信した中継情報を記憶部に記憶する中継情報記憶手段と、として機能させることを特徴とする。
【発明の効果】
【００２５】
本発明によれば、山域に設置された装置及び広域ネットワークに接続された装置間での情報のやり取りを効率的に実施する為の登山情報中継システムを提供することができる。
【図面の簡単な説明】
【００２６】
【図１】本発明の実施形態１に関る登山情報中継システムの概要を示す図である。
【図２】本発明の実施形態１に関る登山情報中継システムの機能ブロック図である。
【図３】本発明の実施形態１に関る中継情報の一例である。
【図４】本発明の実施形態１に関る登山届提出フォームの画面表示例である。
【図５】本発明の実施形態１に関る中継処理の処理フローチャートである。
【図６】本発明の実施形態２に関る登山情報中継システムの概要を示す図である。
【図７】本発明の実施形態２に関る携帯情報端末の機能ブロック図である。
【図８】本発明の実施形態２に関る下山までの処理フローチャートである。
【発明を実施するための形態】
【００２７】
＜実施形態１＞
以下、図面を用いて、本発明の実施形態１に関る登山情報中継システムについて説明する。なお、以下に示す実施形態は本発明の一例であり、本発明を以下の実施形態に限定するものではなく、様々な構成を採用することもできる。
【００２８】
例えば、本実施形態では登山情報中継システムの構成、動作などについて説明するが、同様の構成の方法、装置、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２９】
なお、本発明において登山とは、単に山登りのみを指すのではなく、ハイキングやトレッキング、クライミング、アウトドアスポーツ、キャンプなど、山域での移動を含むアクティビティ全般を指す。
【００３０】
図１は、本発明の実施形態に関る登山情報中継システムの概要を示す図である。登山情報中継システム１は、近距離無線通信装置２と、広域通信装置４と、登山サーバ５と、を備えている。
【００３１】
近距離無線通信装置２は、山域Ｍの登山経路Ｒに沿って配置されており、ユーザによる登山は、経路Ｒに沿って配置された近距離無線通信装置２を経由しながら実施される。近距離無線通信装置２は、本例では、登山道に配置された道標である。本例では、図示しないバッテリによって駆動している。太陽光発電の為の充電パネルや、表示モニタ等を備えていても構わない。
【００３２】
ユーザ端末３は、ユーザにより登山に携行される携帯情報端末であって、例えばタッチパネルを搭載したスマートフォンや、携帯電話、ウェアラブルデバイス、タブレット端末、などである。広域通信装置４も近距離無線通信装置２と同様に、山域Ｍの登山経路Ｒに沿って設けられている。本例では近距離無線通信装置２よりも少数の広域通信装置４が、山域Ｍや登山口（下山口）付近の休憩所や売店、管理施設等に設置されている。
【００３３】
山域Ｍは広域通信不可領域Ｉを有している。広域通信不可領域Ｉは、携帯電話通信用の基地局が無いことや、地形、樹木などの遮蔽物によって、携帯情報端末（ユーザ端末３）向けの音声通話用通信規格やデータ通信規格での通信を十分に（又は一切）行うことができない領域を示す。広域通信可能領域Ｐは、市街地等、携帯情報端末（ユーザ端末３）向けの音声通話用通信規格やデータ通信規格での通信を行うことができる領域を示す。
【００３４】
近距離無線通信装置２及びユーザ端末３、ユーザ端末３及び広域通信装置４は、近距離無線を介して通信可能に構成されている。近距離無線とは、例えばIEEE802.15のBlueTooth（登録商標）やZigBee、IEEE802.11の無線LAN規格の通信方式、などである。
【００３５】
広域通信装置４及び登山サーバ５は、広域通信ネットワークＮを介して通信可能に構成されている。広域通信ネットワークＮとは例えばインターネットであり、広域通信装置４は、図示しない衛星や衛星からの通信を受信する基地局を介して、インターネット通信のネットワークに接続し、ユーザ端末３から近距離無線通信を介して受け取った情報を登山サーバ５まで出力することが可能である。なお、ユーザ端末３は、広域通信可能領域Ｐにおいては、ネットワークＮを介して、登山サーバ５と接続されている。
【００３６】
本例では、ユーザ端末３を介して、近距離無線通信装置２に記憶された（近距離無線通信装置２からユーザ端末３に出力される）発信情報の更新や、近距離無線通信装置２が記憶した装置情報を取得し、登山サーバ５へのデータ集約などを実施することができる。
【００３７】
図２は、本発明の実施形態に係る登山情報中継システムの機能ブロック構成の一例を示す図である。近距離無線通信装置２は、外部の装置と近距離無線を介して通信を行うためのインタフェースである近距離無線通信部２０１と、近距離無線通信装置２の制御を行う制御部２０２と、天候情報を計測する為の天候センサ２０３と、ＨＤＤやＳＳＤ、フラッシュメモリなどの補助記憶装置（記憶部２０４）と、を備えている。記憶部２０４は、オペレーティングシステムと、近距離無線通信プログラム、ユーザ端末３から受け取った中継情報等が記憶されている。
【００３８】
また、近距離無線通信装置２は、記憶部２０４に記憶された中継情報をユーザ端末３に出力する中継情報出力手段２１と、中継情報をユーザ端末３から受け取り、記憶部２０４に記憶するための中継情報受付手段２２と、経路判断手段２３と、自己情報取得手段２４と、天候情報取得手段２５と、を有している。
【００３９】
中継情報とは、近距離無線通信装置２並びにユーザ端末３でやり取りされる情報を示す。具体的には、近距離無線通信装置２からユーザ端末３に情報を発信する為の発信情報、発信情報の更新を行う為の更新情報、ユーザ端末３に記憶されたユーザ情報、ユーザの足取りに関する通過情報、近距離無線通信装置２で検出した装置情報、経路に関する情報などである。
【００４０】
中継情報出力手段２１では、発信情報や装置情報などがユーザ端末３に出力される。中継情報受付手段２２では、ユーザ情報や、更新情報が入力される。中継情報出力手段２１では、ユーザ情報が入力されることで、ユーザのパーソナル情報や登山経路に応じた発信情報等を出力することができる。中継情報受付手段２２では、更新判断手段により、記憶部２０４に記憶された発信情報を更新するか否かが判断される。記憶した発信情報が、ユーザ端末３により搬送された更新情報（発信情報）と同じバージョン、乃至は古いバージョンの際には、更新を行わない。
【００４１】
経路判断手段２３は、ユーザ端末３から受け取ったユーザ情報（中継情報）に含まれるユーザの登山経路情報に基づいて、中継情報出力手段２１で出力する次の近距離無線通信装置２までの経路の情報（中継情報）を決定する。
【００４２】
自己情報取得手段２４は、制御部２０２から自己情報を取得して記憶部２０４に記憶する。自己情報とは、例えば近距離無線通信装置２のバッテリ残量に関する情報や、故障や動作不良などセンサや他の部分から得たエラー情報等である。
【００４３】
天候情報取得手段２５は、天候センサ２０３から天候情報を取得して記憶部２０４に記憶する。天候センサ２０３は、例えば気温情報を測定する気温センサや、気圧情報を測定する気圧センサ、湿度情報を取得する湿度センサ等であり、天候情報は、気温情報や気圧情報、湿度情報などである。記憶された自己情報及び天候情報は、装置情報（中継情報）としてユーザ端末３に出力される。天候情報は、ユーザ端末３との通信毎に計測されてもよいし、所定の時間間隔で計測されてもよいし、それらの組み合わせで計測されてもよい。計測・記憶された天候情報は、最先の１件以上がユーザ端末３に出力される。
【００４４】
ユーザ端末３は、外部の装置と近距離無線を介して通信を行うためのインタフェースである近距離無線通信部３０１と、広域通信ネットワークを介して通信を行う為の広域通信部３０２と、情報の表示を行う為の表示部３０３と、ＨＤＤやＳＳＤ、フラッシュメモリなどの補助記憶装置（記憶部３０４）と、を備えている。また、図示しない演算装置と、主記憶装置と、タッチパネルや物理キー等の入力部と、を備えている。記憶部３０４は、オペレーティングシステムと、中継プログラム、近距離無線通信装置２又は登山サーバ５から受け取った中継情報等が記憶されている。
【００４５】
ユーザ端末３は、近距離無線通信部３０１を介して中継情報をユーザ端末３から受け取り、記憶部３０４に記憶するための中継情報受付手段３１と、近距離無線通信部３０１を介して記憶部３０４に記憶された中継情報を近距離無線通信装置２又は広域通信装置４に出力する中継情報出力手段３２と、広域通信部３０２を介して登山サーバ５に登山情報を出力する登山情報出力手段３３と、広域通信部３０２を介して登山サーバ５より発信情報を受け付け、記憶部３０４に記憶する更新情報受付手段３４と、記憶部３０４に記憶された情報に基づいて表示部３０３に経路に関する情報を表示させる経路表示手段３５と、その他の情報を表示させる情報表示手段３６と、を有している。
【００４６】
登山情報出力手段３３は、登山に関する情報を登山サーバ５に出力を行う。ユーザは登山届の記入を行い、広域通信可能領域Ｐにおいて、登山サーバ５への登山情報の出力を行う。また、登山の開始（入山）の宣言や、登山の終了（下山）の宣言なども、広域通信可能領域Ｐにおいて、登山情報として登山サーバ５へ出力される。
【００４７】
更新情報受付手段３４は、広域通信可能領域Ｐにおいて登山サーバ５から更新情報を受け取り、記憶部３０４に記憶する。記憶した更新情報は、広域通信不可領域Ｉにおいて、中継情報として近距離無線通信部３０１を介して近距離無線通信装置２に出力される。
【００４８】
経路表示手段３５は、記憶部３０４に記憶された地図情報並びに、近距離無線通信装置２から中継情報として受け取った経路に関する情報に基づいて、地図上に次の近距離無線通信装置２までの経路を示す。また、信号を受信できる場合には、図示しないＧＰＳアンテナより受け取った位置情報に基づいて、現在位置を表示させるようにしても構わない。
【００４９】
情報表示手段３６は、近距離無線通信装置２から受け取った中継情報（発信情報等）に基づいて、情報の表示を行う。例えば、発信情報として受け取った広告の表示や、災害情報の表示等が行われる。また、天候情報に基づいて、現在の天候に関する情報を表示するようにしてもよい。
【００５０】
広域通信装置４は、外部の装置（ユーザ端末３）と近距離無線を介して通信を行うためのインタフェースである近距離無線通信部４０１と、衛星等を介してインターネット通信を行う為の広域通信部４０２と、を備えている。また、近距離無線通信部４０１を介して中継情報をユーザ端末３から受け取り、受け取った中継情報の少なくとも一部を、広域通信部４０２を介して登山サーバ５に出力する中継情報出力手段４１を有している。
【００５１】
登山サーバ５は、広域通信ネットワークを介して通信を行う為の広域通信部５０１と、ＨＤＤやＳＳＤ、フラッシュメモリなどの補助記憶装置（記憶部５０２）と、を備えている。また、図示しない演算装置と、主記憶装置と、タッチパネルやマウス、キーボード等の入力部と、ディスプレイなどの表示部と、を備えている。記憶部５０２は、オペレーティングシステムと、登山プログラム、ユーザ端末３から受け取った登山情報、ユーザ端末３に受け渡すための更新情報、ユーザ端末３又は広域通信装置４から受け取った中継情報、等が記憶されている。
【００５２】
登山サーバ５は、広域通信部５０１を介して記憶部５０２に記憶された更新情報をユーザ端末３に出力する更新情報出力手段５１と、広域通信部５０１を介してユーザ端末３より出力された登山情報を受け付け、記憶部５０２に記憶する登山情報受付手段５２と、広域通信部５０１を介して広域通信装置４より出力された中継情報を受け付け、記憶部５０２に記憶する中継情報受付手段５３と、記憶部５０２に記憶された中継情報に基づいて登山者の遭難に関する判断を行う遭難判断手段５４と、記憶部５０２に記憶された登山情報に基づいて登山情報の共有を行う情報共有手段５５と、を有している。
【００５３】
登山情報受付手段５２は、ユーザ端末３から出力された登山届に関する情報や、登山の開始（入山）の宣言、登山の終了（下山）の宣言などの登山情報を受け取り、記憶部５０２に記憶する。
【００５４】
情報共有手段５５は、登山情報を提出したユーザとの登山に同行する同行者や、緊急連絡先、グループ情報で設定されたグループメンバの少なくとも一部、に対して、登山情報として記憶した情報や、ユーザが登山サーバ５に対して行った、登山開始の連絡、下山完了の連絡等を共有する。
【００５５】
＜発信情報＞
図３は記憶部に記憶された情報の一例を示す図である。図３（ａ）は、発信情報の一例を示す図である。発信情報は、中継情報として近距離無線通信装置２からユーザ端末３に出力される。ユーザ端末３は、発信情報を受け取ると、記憶部３０４に記憶し、情報表示手段３６を介して情報を表示させる。
【００５６】
発信情報とは、例えば、ユーザが登山道に沿って移動した際に現れる次の近距離無線通信装置２までの情報、登山口、下山口、帰宅方向等における施設、協賛企業の商品等に関する広告情報、クーポン情報、工事、災害、通行止め、猛獣等に関するお知らせ情報、等であり、近距離無線通信装置２及びユーザ端末３が近距離無線通信を行うことによって、ユーザ端末３で表示等に利用される情報である。
【００５７】
近距離無線通信装置２は、カテゴリ（例えば、広告情報、工事情報、災害情報、等）の異なる複数種類の発信情報を有していても構わない。また、カテゴリごとに更に複数種類の発信情報を記憶しておき、ユーザ情報などに応じて複数種類の発信情報の何れか、又は複数を出力してもよい。例えば、ランダムに出力したり、ユーザ情報に含まれたユーザの性別、年齢、属性情報等に応じて出力したり、ユーザ情報に含まれた登山道の経路情報、等に応じて出力してもよい。また、天候情報取得手段２５などで手に入れた天候情報に基づいて、発信情報生成手段により天候の変化に関する注意喚起や警告を生成又は選択し、発信情報として出力するように構成してもよい。
【００５８】
＜更新情報＞
更新情報出力手段５１は、記憶部５０２に記憶された登山情報に基づいて、ユーザ端末３に更新情報を出力する。図３（ｂ）は、更新情報の一例を示す図である。なお、本実施形態では、登山情報の提出時に登山サーバ５からユーザ端末３に更新情報を受け渡している。登山サーバ５から山岳に設置された広域通信装置４に対して対応する山岳や登山経路に関する更新情報を出力し、広域通信装置４から近距離無線通信を介してユーザ端末３に更新情報を受け渡すような構成を備えても構わない。また、更新情報は、ユーザ端末３及び近距離無線通信装置２の毎通信出力される必要はなく、所定時間おきに１度などの頻度で出力されてもよい。ユーザ端末３に記憶された更新情報は、必ずしも近距離無線通信装置２に出力される必要はなく、そのままユーザ端末３での表示に利用されても構わない。例えば、災害情報や経路情報等は、近距離無線通信装置２に受け渡されることなく、そのまま経路表示手段３５や情報表示手段３６によって表示に利用されても構わない。
【００５９】
更新情報は、ユーザ端末３から近距離無線通信装置２に受け渡され、近距離無線通信装置２の記憶部２０４に記憶された発信情報と比較されて、必要に応じて置き換えられる。例えば、更新情報の識別番号や、発行時間などが、記憶部２０４に記憶された発信情報と比較され、更新の要否が判断される。これにより、近距離無線通信装置２から発信される発信情報を、常に最新の状態に更新しておくことが可能である。
【００６０】
更新情報は、全てのユーザ端末３よって運ばれる必要はなく、所定期間ユーザ端末３に搬送された場合（近距離無線通信装置２の発信情報が新たな発信情報に更新されたと推定される場合）には、次の更新まで搬送（更新情報受付手段３４によって取得）されないように構成してもよい。登山サーバ５では、ユーザ端末３から広域通信部３０２を介して受け取った近距離無線通信装置２の識別子、並びに更新情報の固有識別子を中継情報として受け取り、ユーザ端末３への更新情報の出力の要否を判断する構成を備えてもよい。
【００６１】
本例では、更新情報出力手段５１は、ユーザ端末３から登山情報を受け取った際に、ユーザ端末３に対して更新情報を出力する。更新情報の出力は、例えば登山情報の出力後、広域通信不可領域Ｉにユーザ端末３が進入する前であれば、任意のタイミングで実施されて構わない。ユーザ端末３から出力される更新情報は、全てが登山サーバ５から受け取ったものでなくても構わない。例えば、ユーザ端末３の時刻情報出力手段から更新情報として時刻情報を出力し、近距離無線通信装置２での所定時間間隔での天候情報の取得や、通過時刻を記録する際のタイムスタンプ、等に利用される時刻情報を修正するように構成してもよい。
【００６２】
ユーザが山域Ｍに携行するユーザ端末３とは別の、異なる端末装置（例えばラップトップ型のパーソナルコンピュータ等）から登山情報が入力された場合や、同行者の携帯端末では、登山サーバ５から発信情報を受け取れない可能性がある。また、ユーザが登山情報を出力した時点（更新情報を受け取った時点）から、登山まで期間が開いている場合、更新情報のバージョンが古い可能性がある。ユーザ端末３を介して近距離無線通信装置２に記憶された発信情報を更新することで、登山に訪れるすべてのユーザに対して、最新の発信情報を出力することができる。
【００６３】
＜登山情報＞
図４は、登山届フォームＦの画面表示例を示す。登山届フォームＦは、登山を行う山域情報と、登山ルートに関する経路情報と、登山の日程及び下山予定時間に関する情報と、を入力する部分を有している。入力されたこれらの情報は、ユーザＩＤと紐付けられ、登山情報として登山サーバ５に記憶される。
【００６４】
また、図示例の登山届フォームＦでは、それらに加え、提出者の緊急時連絡先である緊急連絡先情報、同行者情報、グループ情報、登山の目的に関する情報、装備や食料、無線機器の携行に関する情報、参加している登山団体や、加入している登山保険に関する情報、等を入力可能に構成されている。
【００６５】
登山開始前や登山終了後に、登山情報出力手段３３を介して、入山や下山の宣言を受け付け、登山情報として記憶部５０２に記憶してもよい。入山や下山の宣言に関する登山情報は、ユーザが情報の出力を行った際の位置情報と紐付けて入力されてもよい。
【００６６】
図３（ｃ）は、ユーザより提出され、記憶部５０２に記憶される登山情報の一例を示す図である。登山情報は、情報共有手段５５における登山情報の共有と、ユーザ端末３に出力される発信情報の選定、経路表示手段で表示される経路の決定、等に用いられる。
【００６７】
＜ユーザ情報＞
図３（ｄ）は、記憶部３０４に記憶されたユーザ情報の一例を示す図である。ユーザ情報に含まれる経路情報に基づいて、近距離無線通信装置２より、経路に応じた発信情報等が発信することができる。
【００６８】
＜通過情報＞
図３（ｅ）は、通過情報の一例を示す図である。ユーザ端末３が近距離無線通信装置２と通信を行うと、ユーザ情報が近距離無線通信装置２に受け渡され、ユーザが当該近距離無線通信装置２の設置場所を通過したと判断する。そして通過情報としてユーザ識別子及び通過時間などが紐付け、記憶部２０４に記憶する。さらに、記憶部２０４に記憶された通過情報をユーザ端末３に出力する。
【００６９】
出力される通過情報は、所定件数分や所定期間分の、複数のユーザに関する通過情報を含んでいてもよい。また、通過したユーザ自身の通過情報を含んでいてもよい。近距離無線通信装置２が、他の近距離無線通信装置２で取得された通過情報をユーザ端末３より受け取って記憶し、当該近距離無線通信装置２を通過したユーザ端末３に受け渡すように構成してもよい。
【００７０】
遭難判断手段５４は、登山情報や、中継情報として受け取った通過情報に基づいて、遭難に関する判断を行う。例えば、あるユーザが、ある近距離無線通信装置２の地点から通過情報として記憶されていないような場合、当該ユーザが遭難したと判断する。
【００７１】
また例えば、所定期間ユーザの下山の宣言が受け付けられていない場合、通過情報に基づいて、ユーザが下山したか否かを判断したり、ユーザが行方不明となった地点を特定したりすることができる。
【００７２】
＜装置情報＞
図３（ｆ）は、装置情報の一例を示す図である。ユーザ端末３が近距離無線通信装置２と通信を行うと、装置情報が近距離無線通信装置２からユーザ端末３に出力される。装置情報は、装置識別子や、測定日時、天候情報や自己情報を有している。天候情報や自己情報は、ユーザ端末３との通信に際して取得されてもよいし、指定の測定時間に測定されたものを出力するような構成でもよい。装置情報は、所定件数や所定期間分の、複数の測定日時に関する装置情報を含んでいてもよい。
【００７３】
＜ユーザ端末を介した情報の中継＞
図５を用いて、近距離無線通信装置２及びユーザ端末３での中継情報のやり取りの流れについて説明する。以下では、異なるタイミングで登山を行う３人のユーザそれぞれに携行されたユーザ端末３（３Ａ、３Ｂ、３Ｃ）が、２台の近距離無線通信装置２が配置された登山道を通過した際の中継情報のやり取りについて説明する。
【００７４】
ステップＳ１では、ユーザＢが、登山届の提出を行う。登山届フォームに所定の情報をして、登山情報ｍＢを登山サーバ５に出力する。登山情報ｍＢの出力を行うと、登山サーバ５から更新情報ｈ１がユーザ端末３Ｂに出力される。また、提出を行った登山情報ｍＢに基づいて、ユーザ端末３Ｂは登山経路情報を有するユーザ情報ｕＢ（図示せず）を出力可能となる。
【００７５】
ステップＳ２では、ユーザＡが、登山届の提出を行う。登山届フォームに所定の情報をして、登山情報ｍＡを登山サーバ５に出力する。登山情報の出力を行うと、登山サーバ５から更新情報ｈ２がユーザ端末３Ａに出力される。また、提出を行った登山情報ｍＡに基づいて、ユーザ端末３Ａは登山経路情報を有するユーザ情報ｕＡ（図示せず）を出力可能となる。ここで、更新情報ｈ２は、更新情報ｈ１に対して新しい内容の発信情報を有している。
【００７６】
ステップＳ３では、ユーザＡが、登山を開始する。ユーザ端末３Ａが近距離無線通信装置２Ａに近づくと、近距離無線通信によりユーザ端末３Ａに記憶された中継情報（ユーザ情報ｕＡ及び更新情報ｈ２）が近距離無線通信装置２Ａに出力される。近距離無線通信装置２Ａからは、中継情報（発信情報ｖＡ１＝ｈ２、通過情報ｐＡ１、装置情報ｇＡ１）がユーザ端末３Ａに出力される。
【００７７】
ステップＳ４では、ユーザ端末３Ａが近距離無線通信装置２Ｂに近づくと、近距離無線通信によりユーザ端末３Ａに記憶された中継情報（ユーザ情報ｕＡ及び更新情報ｈ２）が近距離無線通信装置２Ｂに出力される。近距離無線通信装置２Ｂからは、中継情報（発信情報ｖＢ１＝ｈ２、通過情報ｐＢ１、装置情報ｇＢ１）がユーザ端末３Ａに出力される。
【００７８】
ステップＳ５では、ユーザ端末３Ａが広域通信装置４に近づくと、広域通信装置４を介してユーザ端末３Ａに記憶された中継情報（通過情報ｐＡ１及び装置情報ｇＡ１、通過情報ｐＢ１、装置情報ｇＢ１）が登山サーバ５に出力される。その後、ユーザＡは下山する。
【００７９】
ステップＳ６では、ユーザＣが、登山届の提出を行う。登山届フォームに所定の情報をして、登山情報ｍＣを登山サーバ５に出力する。登山情報の出力を行うと、登山サーバ５から更新情報ｈ３がユーザ端末３Ｃに出力される。また、提出を行った登山情報ｍＣに基づいて、ユーザ端末３Ｃは登山経路情報を有するユーザ情報ｕＣ（図示せず）を出力可能となる。ここで、更新情報ｈ３は、更新情報ｈ２に対して新しい内容の発信情報を有している。
【００８０】
ステップＳ７では、ユーザＢが、登山を開始する。ユーザ端末３Ｂが近距離無線通信装置２Ａに近づくと、近距離無線通信によりユーザ端末３Ｂに記憶された中継情報（ユーザ情報ｕＢ及び更新情報ｈ１）が近距離無線通信装置２Ａに出力される。近距離無線通信装置２Ａからは、中継情報（発信情報ｖＡ２＝ｈ２、通過情報ｐＡ２、装置情報ｇＡ２）がユーザ端末３Ｂに出力される。
【００８１】
ここで、更新情報ｈ１は、ユーザ端末３Ａによって中継された更新情報ｈ２よりも古い情報の為、近距離無線通信装置２Ａの発信情報は更新されない。通過情報ｐＡ２及び装置情報ｇＡ２は、ユーザＡがステップＳ３で近距離無線通信装置２Ａを通過後、ユーザＢが近距離無線通信装置２Ａを通過するまでの通過情報並びに装置情報を有している。
【００８２】
ステップＳ８では、ユーザ端末３Ｂが近距離無線通信装置２Ｂに近づくと、近距離無線通信によりユーザ端末３Ｂに記憶された中継情報（ユーザ情報ｕＢ及び更新情報ｈ１）が近距離無線通信装置２Ｂに出力される。近距離無線通信装置２Ｂからは、中継情報（発信情報ｖＢ２＝ｈ２、通過情報ｐＢ２、装置情報ｇＢ２）がユーザ端末３Ｂに出力される。
【００８３】
ここで、更新情報ｈ１は、ユーザ端末３Ａによって中継された更新情報ｈ２よりも古い情報の為、近距離無線通信装置２Ｂの発信情報は更新されない。通過情報ｐＢ２及び装置情報ｇＢ２は、ユーザＡが近距離無線通信装置２Ｂを通過後、ユーザＢが近距離無線通信装置２Ａを通過するまでの通過情報並びに装置情報を有している。
【００８４】
ステップＳ９では、ユーザＣが、登山を開始する。ユーザ端末３Ｃが近距離無線通信装置２Ａに近づくと、近距離無線通信によりユーザ端末３Ｃに記憶された中継情報（ユーザ情報ｕＣ及び更新情報ｈ３）が近距離無線通信装置２Ａに出力される。近距離無線通信装置２Ａからは、中継情報（発信情報ｖＡ３＝ｈ３、通過情報ｐＡ３、装置情報ｇＡ３）がユーザ端末３Ｃに出力される。
【００８５】
ここで、更新情報ｈ３は、ユーザ端末３Ａによって中継された更新情報ｈ２よりも新しい情報の為、近距離無線通信装置２Ａの発信情報が更新される。通過情報ｐＡ３及び装置情報ｇＡ３は、ユーザＢがステップＳ７で近距離無線通信装置２Ａを通過後、ユーザＣが近距離無線通信装置２Ａを通過するまでの通過情報並びに装置情報を有している。
【００８６】
ステップＳ１０では、ユーザ端末３Ｂが広域通信装置４に近づくと、広域通信装置４を介してユーザ端末３Ｂに記憶された中継情報（通過情報ｐＡ２及び装置情報ｇＡ２、通過情報ｐＢ２、装置情報ｇＢ２）が登山サーバ５に出力される。その後、ユーザＢは下山する。
【００８７】
ステップＳ１１では、ユーザ端末３Ｃが近距離無線通信装置２Ｂに近づくと、近距離無線通信によりユーザ端末３Ｃに記憶された中継情報（ユーザ情報ｕＣ及び更新情報ｈ３）が近距離無線通信装置２Ｂに出力される。近距離無線通信装置２Ｂからは、中継情報（発信情報ｖＢ３＝ｈ３、通過情報ｐＢ３、装置情報ｇＢ３）がユーザ端末３Ｃに出力される。
【００８８】
ここで、更新情報ｈ３は、ユーザ端末３Ａによって中継された更新情報ｈ２よりも新しい情報の為、近距離無線通信装置２Ｂの発信情報が更新される。通過情報ｐＢ３及び装置情報ｇＢ３は、ユーザＢが近距離無線通信装置２Ｂを通過後、ユーザＣが近距離無線通信装置２Ｂを通過するまでの通過情報並びに装置情報を有している。
【００８９】
ステップＳ１２では、ユーザ端末３Ｃが広域通信装置４に近づくと、広域通信装置４を介してユーザ端末３Ｃに記憶された中継情報（通過情報ｐＡ３及び装置情報ｇＡ３、通過情報ｐＢ３、装置情報ｇＢ３）が登山サーバ５に出力される。その後、ユーザＣは下山する。
【００９０】
＜実施形態２＞
次いで、図６〜図８を用いて、本発明の実施形態２に関る登山情報中継システムについて説明する。なお、実施形態１と同様の構成については、同様の符号を付してその説明を省略する。本実施形態では、広域通信装置４ではなく、広域通信可能領域Ｐに到達したユーザ端末３から、登山サーバ５に中継情報を出力する場合について説明する。
【００９１】
図６は、本発明の実施形態２に関る登山情報中継システムの概要を示す図である。登山情報中継システム１は、近距離無線通信装置２と、ユーザ端末３と、登山サーバ５と、を備えている。山域Ｍは広域通信不可領域Ｉを有している。ユーザ端末３は、広域通信可能領域Ｐにおいては、ネットワークＮを介して通信可能に構成されている。
【００９２】
図７は、本発明の実施形態２に関るユーザ端末３の機能ブロック図である。広域通信不可領域Ｉにおいて、中継情報出力手段３２は、近距離無線通信部３０１を介して、記憶部３０４に記憶された中継情報（ユーザ情報、更新情報、等）を近距離無線通信装置２に出力する。一方で、広域通信可能領域において、中継情報出力手段３２は、広域通信部３０２を介して、記憶部３０４に記憶された中継情報（装置情報、通過情報、等）を近距離無線通信装置２に出力する。
【００９３】
図８は、本発明の実施形態２に関る登山開始から下山までの流れを示す処理フローチャートである。広域通信可能領域Ｐ（例えばユーザの自宅など）において、ユーザは、登山情報出力手段３３により登山届（登山情報）の提出を行う（ステップＳ２１）。登山届の提出後、更新情報がある場合（ステップＳ２２でＹｅｓ（Ｙ））には、更新情報受付手段３４により更新情報を受け取り、記憶部３０４に記憶する。ここで受け取る更新情報は、例えば登山届に記載された登山山域や、登山ルート等に基づいて決定される。
【００９４】
登山の当日、ユーザは、山域に向かい、入山の宣言を行う（ステップＳ２４）。入山の宣言は、登山情報出力手段３３によって登山サーバ５に出力される。例えば、入山の宣言が行われた際に、更新情報を受け取るように構成しても構わない。
【００９５】
入山後、近距離無線通信装置２を通過した際には、ユーザ端末３及び近距離無線通信装置２が近距離無線通信を行い、中継情報の入出力を行う。この際、ユーザ端末３側では、中継情報出力手段３２が、中継情報として、ユーザＩＤや登山ルートに関するユーザ情報、近距離無線通信装置２で発信される発信情報の更新情報、を出力する（ステップＳ２５）。
【００９６】
近距離無線通信装置側からは、発信情報、近距離無線通信装置２を通過したユーザ端末３に関る通過情報、装置情報が出力され、中継情報受付手段３１により記憶部３０４に記憶される（ステップＳ２６）。
【００９７】
近距離無線通信装置２との中継情報のやり取りは、ユーザ端末３が近距離無線通信装置２を通過する都度行われる。ユーザは、登山を終え下山すると、広域通信可能領域Ｐにおいて、下山の宣言を行う（ステップＳ２７）。下山の宣言は、登山情報出力手段３３によって登山サーバ５に出力される。下山の宣言に関する登山情報を出力すると、中継情報出力手段３２は、広域通信部３０２を介して、記憶部３０４に記憶された中継情報（通過情報、装置情報）を、登山サーバ５に出力する（ステップＳ２８）。
【００９８】
本発明によれば、より効率的な情報発信並びに情報収集を行う為の登山情報中継システムを提供することができる。近距離無線通信装置で記憶された情報や、近距離無線通信装置に対する情報をユーザに搬送させることが可能となる。これにより、電波の通じない山域などにおいても、装置で得られた情報の収集、装置に記憶された情報の更新、を実施することができ、効果的に登山に関する情報収取、情報発信を行うことができる。
【符号の説明】
【００９９】
１  登山情報中継システム
２  近距離無線通信装置
２１  中継情報出力手段
２２  中継情報受付手段
２３  経路判断手段
２４  自己情報取得手段
２５  天候情報取得手段
２０１  近距離無線通信部
２０２  制御部
２０３  天候センサ
２０４  記憶部
３  ユーザ端末
３１  中継情報受付手段
３２  中継情報出力手段
３３  登山情報出力手段
３４  更新情報受付手段
３５  経路表示手段
３６  情報表示手段
３０１  近距離無線通信部
３０２  広域通信部
３０３  表示部
３０４  記憶部
４  広域通信装置
４１  中継情報出力手段
４０１  近距離無線通信部
４０２  広域通信部
５  登山サーバ
５１  更新情報出力手段
５２  登山情報受付手段
５３  中継情報受付手段
５４  遭難判断手段
５５  登山情報共有手段
５０１  広域通信部
５０２  記憶部
Ｎ  ネットワーク
Ｐ  広域通信可能領域
Ｉ  広域通信不可領域
Ｍ  山域
Ｒ  登山経路
【図１】
2018022454.tif 000003
【図２】
2018022454.tif 000004
【図３】
2018022454.tif 000005
【図４】
2018022454.tif 000006
【図５】
2018022454.tif 000007
【図６】
2018022454.tif 000008
【図７】
2018022454.tif 000009
【図８】
2018022454.tif 000010
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
登山経路上の所定位置に、登山経路に沿って並べて配置された複数の近距離無線通信装置と、広域通信ネットワークを介してアクセス可能な登山サーバと、を備え、
前記近距離無線通信装置と近距離無線通信可能な領域を経由して前記登山経路を進行する複数のユーザそれぞれが携行するユーザ端末を介して情報伝達を行う為の登山情報伝達システムであって、
前記登山サーバは、前記近距離無線通信装置からユーザ端末への発信情報の更新を行う為の更新情報を、広域通信可能領域において前記ユーザ端末より受け取った経路情報に基づいて、前記ユーザ端末に出力し、
前記近距離無線通信装置は、前記ユーザ端末から前記更新情報を含む中継情報を受信する中継情報受信手段と、
前記中継情報受信手段で受信した中継情報を記憶部に記憶する中継情報記憶手段と、
前記記憶部に記憶された中継情報の少なくとも一部を前記ユーザ端末に出力する中継情報出力手段と、を備えることを特徴とする登山情報伝達システム。
【請求項２】
前記登山サーバは、広域通信可能領域において前記ユーザ端末から出力された、前記中継情報の少なくとも一部を受け付ける中継情報受付手段を備えることを特徴とする請求項１に記載の登山情報伝達システム。
【請求項３】
広域通信装置を備え、
前記登山サーバは、前記ユーザ端末に記憶された前記中継情報を、前記広域通信装置を介して受け付けることを特徴とする請求項１又は請求項２に記載の登山情報伝達システム。
【請求項４】
前記近距離無線通信装置は、前記ユーザ端末より受け取った中継情報に基づいて、ユーザ端末に出力する中継情報を決定することを特徴とする請求項１〜３の何れかに記載の登山情報伝達システム。
【請求項５】
近距離無線通信装置は、前記中継情報として、過去に当該近距離無線通信装置を通過した複数のユーザ端末についての通過情報を、ユーザ端末に出力することを特徴とする請求項１〜４の何れかに記載の登山情報伝達システム。
【請求項６】
前記近距離無線通信装置は、天候情報を検出する為の天候センサを備え、
前記中継情報は、前記天候情報を含むことを特徴とする請求項１〜５の何れかに記載の登山情報伝達システム。
【請求項７】
前記近距離無線通信装置は、自己情報を生成する自己情報取得手段を備え、
前記中継情報は、前記自己情報を含むことを特徴とする請求項１〜６の何れかに記載の登山情報伝達システム。
【請求項８】
登山経路上の所定位置に、登山経路に沿って並べて配置され、
複数のユーザそれぞれが携行し、広域通信ネットワークを介して登山サーバと通信可能なユーザ端末と近距離無線通信を介して情報伝達を行う近距離無線通信装置であって、
前記ユーザ端末から更新情報を含む中継情報を受信する中継情報受信手段と、
前記中継情報受信手段で受信した中継情報を記憶部に記憶する中継情報記憶手段と、
前記記憶部に記憶された中継情報の少なくとも一部を前記ユーザ端末に出力する中継情報出力手段と、を備え、
前記更新情報は、前記近距離無線通信装置からユーザ端末への発信情報の更新を行う為の情報であって、広域通信可能領域において前記ユーザ端末より受け取った経路情報に基づいて、前記登山サーバより前記ユーザ端末に出力されることを特徴とする近距離無線通信装置。
【請求項９】
登山経路上の所定位置に、登山経路に沿って並べて配置された複数の近距離無線通信装置と、近距離無線通信を介して情報伝達を行う為の携帯情報端末であって、
広域通信ネットワークを介して登山サーバと通信可能であって、
更新情報を含む中継情報の少なくとも一部を前記近距離無線通信装置に出力する中継情報出力手段と、
前記近距離無線通信装置から中継情報を受信する中継情報受信手段と、
前記中継情報受信手段で受信した中継情報を記憶部に記憶する中継情報記憶手段と、を備え、
前記更新情報は、前記近距離無線通信装置から携帯情報端末への発信情報の更新を行う為の情報であって、広域通信可能領域において出力した経路情報に基づいて、前記登山サーバより出力されることを特徴とする携帯情報端末。
【請求項１０】
登山経路上の所定位置に、登山経路に沿って並べて配置され、
複数のユーザそれぞれが携行し、広域通信ネットワークを介して登山サーバと通信可能なユーザ端末と近距離無線通信を介して情報伝達を行う為の近距離無線通信装置の近距離無線通信プログラムであって、
コンピュータを、前記ユーザ端末から更新情報を含む中継情報を受信する中継情報受信手段と、
前記中継情報受信手段で受信した中継情報を記憶部に記憶する中継情報記憶手段と、
前記記憶部に記憶された中継情報の少なくとも一部を前記ユーザ端末に出力する中継情報出力手段と、として機能させ、
前記更新情報は、前記近距離無線通信装置からユーザ端末への発信情報の更新を行う為の情報であって、広域通信可能領域において前記ユーザ端末より受け取った経路情報に基づいて、前記登山サーバより前記ユーザ端末に出力されることを特徴とする近距離無線通信プログラム。
【請求項１１】
広域通信ネットワークを介して登山サーバと通信可能であって、
登山経路上の所定位置に、登山経路に沿って並べて配置された複数の近距離無線通信装置と、近距離無線通信を介して情報伝達を行う為の携帯情報端末の中継プログラムであって、
コンピュータを、更新情報を含む中継情報の少なくとも一部を前記近距離無線通信装置に出力する中継情報出力手段と、
前記近距離無線通信装置から中継情報を受信する中継情報受信手段と、
前記中継情報受信手段で受信した中継情報を記憶部に記憶する中継情報記憶手段と、として機能させ、
前記更新情報は、前記近距離無線通信装置からの発信情報の更新を行う為の情報であって、広域通信可能領域において出力した経路情報に基づいて、前記登山サーバより出力されることを特徴とする中継プログラム。
【手続補正２】
【補正対象書類名】明細書
【補正対象項目名】００１２
【補正方法】変更
【補正の内容】
【００１２】
上記課題を解決するために、本発明は、登山経路上の所定位置に、登山経路に沿って並べて配置された複数の近距離無線通信装置と、広域通信ネットワークを介してアクセス可能な登山サーバと、を備え、前記近距離無線通信装置と近距離無線通信可能な領域を経由して前記登山経路を進行する複数のユーザそれぞれが携行するユーザ端末を介して情報伝達を行う為の登山情報伝達システムであって、前記登山サーバは、前記近距離無線通信装置からユーザ端末への発信情報の更新を行う為の更新情報を、広域通信可能領域において前記ユーザ端末より受け取った経路情報に基づいて、前記ユーザ端末に出力し、前記近距離無線通信装置は、前記ユーザ端末から前記更新情報を含む中継情報を受信する中継情報受信手段と、前記中継情報受信手段で受信した中継情報を記憶部に記憶する中継情報記憶手段と、前記記憶部に記憶された中継情報の少なくとも一部を前記ユーザ端末に出力する中継情報出力手段と、を備えることを特徴とする。
【手続補正３】
【補正対象書類名】明細書
【補正対象項目名】００１３
【補正方法】変更
【補正の内容】
【００１３】
本発明の好ましい形態では、前記登山サーバは、広域通信可能領域において前記ユーザ端末から出力された、前記中継情報の少なくとも一部を受け付ける中継情報受付手段を備えることを特徴とする。
【手続補正４】
【補正対象書類名】明細書
【補正対象項目名】００１５
【補正方法】変更
【補正の内容】
【００１５】
本発明の好ましい形態では、広域通信装置を備え、前記登山サーバは、前記ユーザ端末に記憶された前記中継情報を、前記広域通信装置を介して受け付けることを特徴とする。
【手続補正５】
【補正対象書類名】明細書
【補正対象項目名】００２１
【補正方法】変更
【補正の内容】
【００２１】
本発明は、登山経路上の所定位置に、登山経路に沿って並べて配置され、複数のユーザそれぞれが携行し、広域通信ネットワークを介して登山サーバと通信可能なユーザ端末と近距離無線通信を介して情報伝達を行う近距離無線通信装置であって、前記ユーザ端末から更新情報を含む中継情報を受信する中継情報受信手段と、前記中継情報受信手段で受信した中継情報を記憶部に記憶する中継情報記憶手段と、前記記憶部に記憶された中継情報の少なくとも一部を前記ユーザ端末に出力する中継情報出力手段と、を備え、前記更新情報は、前記近距離無線通信装置からユーザ端末への発信情報の更新を行う為の情報であって、広域通信可能領域において前記ユーザ端末より受け取った経路情報に基づいて、前記登山サーバより前記ユーザ端末に出力されることを特徴とする。
【手続補正６】
【補正対象書類名】明細書
【補正対象項目名】００２２
【補正方法】変更
【補正の内容】
【００２２】
本発明は、登山経路上の所定位置に、登山経路に沿って並べて配置された複数の近距離無線通信装置と、近距離無線通信を介して情報伝達を行う為の携帯情報端末であって、広域通信ネットワークを介して登山サーバと通信可能であって、更新情報を含む中継情報の少なくとも一部を前記近距離無線通信装置に出力する中継情報出力手段と、前記近距離無線通信装置から中継情報を受信する中継情報受信手段と、前記中継情報受信手段で受信した中継情報を記憶部に記憶する中継情報記憶手段と、を備え、前記更新情報は、前記近距離無線通信装置から携帯情報端末への発信情報の更新を行う為の情報であって、広域通信可能領域において出力した経路情報に基づいて、前記登山サーバより出力されることを特徴とする。
【手続補正７】
【補正対象書類名】明細書
【補正対象項目名】００２３
【補正方法】変更
【補正の内容】
【００２３】
本発明は、登山経路上の所定位置に、登山経路に沿って並べて配置され、複数のユーザそれぞれが携行し、広域通信ネットワークを介して登山サーバと通信可能なユーザ端末と近距離無線通信を介して情報伝達を行う為の近距離無線通信装置の近距離無線通信プログラムであって、コンピュータを、前記ユーザ端末から更新情報を含む中継情報を受信する中継情報受信手段と、前記中継情報受信手段で受信した中継情報を記憶部に記憶する中継情報記憶手段と、前記記憶部に記憶された中継情報の少なくとも一部を前記ユーザ端末に出力する中継情報出力手段と、として機能させ、前記更新情報は、前記近距離無線通信装置からユーザ端末への発信情報の更新を行う為の情報であって、広域通信可能領域において前記ユーザ端末より受け取った経路情報に基づいて、前記登山サーバより前記ユーザ端末に出力されることを特徴とする。
【手続補正８】
【補正対象書類名】明細書
【補正対象項目名】００２４
【補正方法】変更
【補正の内容】
【００２４】
本発明は、広域通信ネットワークを介して登山サーバと通信可能であって、登山経路上の所定位置に、登山経路に沿って並べて配置された複数の近距離無線通信装置と、近距離無線通信を介して情報伝達を行う為の携帯情報端末の中継プログラムであって、コンピュータを、更新情報を含む中継情報の少なくとも一部を前記近距離無線通信装置に出力する中継情報出力手段と、前記近距離無線通信装置から中継情報を受信する中継情報受信手段と、前記中継情報受信手段で受信した中継情報を記憶部に記憶する中継情報記憶手段と、として機能させ、前記更新情報は、前記近距離無線通信装置からの発信情報の更新を行う為の情報であって、広域通信可能領域において出力した経路情報に基づいて、前記登山サーバより出力されることを特徴とする。